(57)【要約】      （修正有）【課題】美観及び安全性を考慮した装飾品用ケースを提供する。【解決手段】装飾品用ケース１において、装飾品を載置する底板２と、多面体を形成し多面体の内少なくとも前面に透明板５を取り付ける枠材３と、枠材３の上端に取り付ける天盤６からなり、天盤６の前面両コーナ部に多面体の外側に伸びる庇部を形成し、庇部に磁性材製吊具１１を取り付けた吊り飾り１０を着脱自在に固定するための永久磁石８をその表面が庇部下面と同一レベルに露出するように設置することを特徴とする。【選択図】図１
0003135808.tif 000002
【実用新案登録請求の範囲】
【請求項１】
装飾品を載置する底板と、装飾品を収納する多面体を形成し該多面体の内少なくとも前面に透明板を取り付ける枠材と、前記枠材の上端に取り付ける天盤からなり、前記天盤の前面両コーナ部に前記多面体の外側に伸びる庇部を形成し、前記庇部に磁性材製吊具を取り付けた吊り飾りを着脱自在に吸着するための永久磁石をその表面が庇部下面と同一レベルに露出するように設置することを特徴とする装飾品用ケース。
【請求項２】
前記枠材により形成される多面体が矩形の前側両コーナを斜めに切り欠いた断面形状の６面体とし、前記斜めに切り欠いた部分に対応する天盤に庇部を形成することを特徴とする請求項１に記載の装飾品用ケース。
【考案の詳細な説明】
【技術分野】
【０００１】
本考案は、人形、兜、羽子板等の装飾品を収納する装飾品用ケースに関する。
【背景技術】
【０００２】
人形、兜、羽子板等の装飾品を収納する装飾品用ケースには、収納された装飾品をより華やかに見せるためにケース内の天盤に吊り飾りを取り付けることが行われている。従来、吊り飾りを天盤に取り付ける手段としては、天盤に吊り飾り取り付け用の吊具を予め設置し吊り飾りにフックを設置して吊具に係合するものや、吊り飾りに吸盤を設置して天盤表面に吸着するものが知られている。
【特許文献１】実開昭５６−１１６８３号公報
【考案の開示】
【考案が解決しようとする課題】
【０００３】
ケース内の装飾品の見栄えに変化を与える目的や季節感を出す目的で既存の吊り飾りを別の吊り飾りと取替えたいという要望が多くのユーザから寄せられている。従来の吊り飾りは、ケースの天盤にフックと金具の係合や、吸盤による吸着で取り付けられているので着脱自在で取替えができるが、吊り飾りがケース内に取り付けられているため、吊り飾りの取替えには、ケースを開放したりして吊り飾りの取替え作業をしなければならないので簡単に吊り飾りの取替えができないという問題と、吊り飾りの交換作業中に装飾品を破損させるという事故が発生しやすいという問題があった。
【０００４】
本考案は、従来の装飾品ケースの持つ問題を解決し、吊り飾りの交換が容易で、美観及び安全性を考慮した装飾品用ケースを提供することを目的とする。
【課題を解決するための手段】
【０００５】
本第１考案は、前記課題を解決するために、装飾品用ケースにおいて、装飾品を載置する底板と、装飾品を収納する多面体を形成し該多面体の内少なくとも前面に透明板を取り付ける枠材と、前記枠材の上端に取り付ける天盤からなり、前記天盤の前面両コーナ部に前記多面体の外側に伸びる庇部を形成し、前記庇部に磁性材製吊具を取り付けた吊り飾りを着脱自在に吸着するための永久磁石をその表面が庇部下面と同一レベルに露出するように設置することを特徴とする。
【０００６】
本第２考案は、本第１考案の装飾品用ケースにおいて、前記枠材により形成される多面体が矩形の前側両コーナを斜めに切り欠いた断面形状の６面体とし、前記斜めに切り欠いた部分に対応する天盤に庇部を形成することを特徴とする。
【考案の効果】
【０００７】
本考案の装飾品用ケースにおいて、装飾品を載置する底板と、装飾品を収納する多面体を形成し該多面体の内少なくとも前面に透明板を取り付ける枠材と、前記枠材の上端に取り付ける天盤からなり、前記天盤の前面両コーナ部に前記多面体の外側に伸びる庇部を形成し、前記庇部に磁性材製吊具を取り付けた吊り飾りを着脱自在に吸着するための永久磁石をその表面が庇部下面と同一レベルに露出するように設置する構成により、吊り飾りの取替えが多面体の外側で出来るので容易に実施で、吊り飾り交換作業中に内部に収納された装飾品に損害を与える心配がなく、装飾品を収納した多面体の外側に位置する吊り飾りを子供が引っ張っても、吊り飾りが永久磁石と磁性材製吊具による吸着なので簡単に吊り飾りが永久磁石から外れケースの転倒による破損を防止でき、吊り飾りを付けない状態では永久磁石が庇部下面と同一レベルなので装飾品用ケースの美観を損ねることがない。
枠材により形成される多面体が矩形の前側両コーナを斜めに切り欠いた断面形状の６面体とし、前記斜めに切り欠いた部分に対応する天盤に庇部を形成する構成により、６面体とすることで多面体内に収納する装飾品により立体感を付与できると共に、切り欠いた部分に吊り飾りを固定する庇部が形成されるので、ケース内部に収容される装飾品の美観を損ねることなく装飾品に華やかさを添える吊り飾りを配置できる。
【考案を実施するための最良の形態】
【０００８】
本考案の装飾品用ケースの実施形態を図により説明する。図１は、本考案の装飾品用ケースの全体を示す概略図である。
【０００９】
人形、兜、羽子板等の装飾品を内部に収納する装飾品用ケース１は、台座を含む底板２と、底板２から垂直に伸びる複数の枠材３を有する。複数の枠材３により多面体を形成する。この実施形態では、多面体は、断面矩形の前側の両コーナを切り欠いて背面、左右側面、左右コーナ面、前面の６面体としている。しかし、本考案の装飾品用ケース１は、多面体として６面体に限定されるものではなく、４面体以上の多面体としても良い。この実施形態では、背面にのみ不透明板４が枠材３を取り付け、不透明板４に装飾品の美観を引き立たせる背景となる壁紙等が貼付される。その他の５面には透明板５が枠材３により取り付けられる。
【００１０】
透明板５は、ガラス又は透明樹脂製のものを使用する。多面体への透明板５の配置は全ての面に透明板５を取り付けても良いし、前面を除く他の面に不透明板４を取り付けても良い。前面に透明板５が取り付ければ多面体内部に収納した装飾品が外側から観賞できる。本実施形態ように多面体を６面体として背面を除く５面に透明板５を取り付けることにより、多面体内に収納した装飾品を立体的に観賞することができるので望ましい。前面の透明板５を開閉自在として、多面体内への装飾品の出し入れを可能に構成しても良い。
【００１１】
図２は、図１に示される装飾品用ケース１を上から見た図である。多面体を形成する複数の枠材３の上端に、多面体の上端開口をカバーする天盤６を取り付ける。天盤６は不透明な部材で形成しても良く、図１に示されるように、多面体の上端開口より大きな枠体９により、多面体の上端開口部に対応する透明板５を取り付けても良い。多面体の上端開口部を透明板５でカバーすることにより、上部からの照明がケース内に入射可能とすることにより装飾品の美観を向上することができる。
【００１２】
天盤６の多面体の前面の両コーナ部に、多面体の外側に伸びる庇部７を形成する。この実施形態では、多面体が矩形断面の前面コーナ部を切り欠いた６面体としているので、天盤６を切り欠く前の矩形断面と相似形の矩形に形成すると、天盤６の６面体の両コーナ部に対応する部分がコーナ部の外側に伸びる庇部７となる。
【００１３】
天盤６の庇部７に、貫通穴若しくは庇部７の下面に凹部を形成し、前記貫通穴若しくは凹部にその断面形状と相似した断面形状の永久磁石８を接着剤等の固着手段により設置する。永久磁石８の表面が庇部７の下面より突出していると美観を損ね、永久磁石８の表面が庇部７の下面より下に位置すると、後述する吊り飾りに設置した磁性体と吸着力が弱くなるので、永久磁石８の表面が庇部７の下面と同一レベルに露出するように設置する。
【００１４】
図３は、吊り飾り１０を天盤６の庇部７に設置した永久磁石８に吸着させた状態を示す図である。吊り飾り１０は、飾り紐に飾り玉、招き猫、造花等を結んだもので、飾り紐の先端に鉄等の磁性材製吊具１１を結んである。磁性材製吊具１１を永久磁石８の表面に吸着させて、吊り飾り１０を着脱自在に設置する。
【００１５】
吊り飾り１０を着脱自在に取り付ける天盤６の庇部７は、装飾品を収納する６面体の外側に位置するので簡単に釣り飾り１０の取り付け、取り外しができる。また、吊り飾り１０を取り付ける位置が矩形断面のコーナ部を切り欠いた庇部７とすることにより空間の有効利用ができ、６面体内に収容される装飾品の美観を損ねることなく、装飾品の華やかさをより引き立てる吊り飾り１０とすることができる。
【００１６】
吊り飾り１０が６面体の外側に取り付けられているので、幼児を含む子供が面白半分に釣り飾り１０を引っ張ることが想定される。釣り飾り１０を従来のフックや吸盤で取り付けていると、吊り飾り１０を引っ張るとケース自体が転倒して破壊することがあるが、本考案では、磁性材製吊具１１と永久磁石８との吸着により吊り飾りが取り付けられているため、吊り飾り１０を引っ張ると吊り飾り１０がすぐ外れ、装飾品用ケース１が転倒して破損するのを防止できる。
【００１７】
以上のように、本考案の装飾品用ケースは、収納される装飾品に変化を与える吊り飾りを交換作業が容易であり、収納される装飾品の華やかさをより向上させ、安全な装飾品用ケースを提供することができる。
【図面の簡単な説明】
【００１８】
【図１】本考案の実施形態を示す図である。
【図２】本考案の実施形態を示す図である。
【図３】本考案の実施形態を示す図である。
【符号の説明】
【００１９】
１：装飾品用ケース、２：底板、３：枠材、４：不透明板、５：透明板、６：天盤、７：庇部、８：永久磁石、９：枠体、１０：吊り飾り、１１：磁性材製吊具
【図１】
0003135808.tif 000003
【図２】
0003135808.tif 000004
【図３】
0003135808.tif 000005